(57)【要約】【課題】全く異なる文字や絵柄を表した印面を選択的に切り換えて使用することができるスタンプを提供することを課題とする。【解決手段】下端に開口１２を有した中空円筒状のケース１０と、前記開口１２より表出可能な印面を表裏に設けた印面支持体３０と、印面支持体３０と係合する係合部を有するとともに、前記ケースの内周壁に沿って回動可能に支持された回動部材４０とを有し、前記印面支持体３０は、前記回動部材４０と係合する被係合部３４を有するとともに、前記表裏に設けた印面が回動によって前記開口１２より表出可能となるように軸支され、前記回動部材４０の回動に応じて回動するように構成されたこと。【選択図】図２
2005319674.tif 000002
【特許請求の範囲】
【請求項１】
下端に開口を有した中空筒状のケースと、
前記開口より表出可能な印面を表裏に設けた印面支持体と、
前記印面支持体と係合する係合部を有するとともに、前記ケースの内周壁に沿って回動可能に支持された回動部材とを有し、
前記印面支持体は、前記回動部材と係合する被係合部を有するとともに、前記表裏に設けた印面が回動によって前記開口より表出可能となるように軸支され、前記回動部材の回動に応じて回動するように構成されたことを特徴とするスタンプ。
【請求項２】
下端に開口を有した中空円筒状のケースと、
前記開口より表出可能な印面を表裏に有し、当該両印面が回動によってそれぞれ前記開口より表出可能となるように軸支された円板状の印面支持体と、
前記ケースの内周壁に沿って回動可能に支持された回動部材とを有し、
印面支持体には当該印面支持体の回動中心と同軸となる位置にピニオンが設けられるとともに、前記回動部材の外周には当該ピニオンと噛合するラック状の歯が設けられており、
前記回動部材の回動に応じて前記ラック状の歯および前記ピニオンを介して前記印面支持体を回動させ、前記開口より表出させる印面を変化させるように構成したことを特徴とするスタンプ。
【請求項３】
下端に開口を有した中空円筒状のケースと、
前記開口より表出可能な印面および開口を塞ぐ蓋面を表裏に有し、当該両印面が回動によってそれぞれ前記開口より表出可能となるように軸支された円板状の印面支持体と、
前記ケースの内周壁に沿って回動可能に支持された回動部材とを有し、
印面支持体には当該印面支持体の回動中心と同軸となる位置にピニオンが設けられるとともに、前記回動部材の外周には当該ピニオンと噛合するラック状の歯が設けられており、
前記回動部材の回動に応じて前記印面支持体を回動させることにより、前記印面または蓋面を前記開口より選択的に表出させるようになっていることを特徴とするスタンプ。
【請求項４】
下端に開口を有した円筒状のケースと、
円盤状に形成され前記ケースの内壁に回動可能に軸支された印面支持体であって、印面が表裏に設けられた前記印面支持体と、
前記印面支持体の回動中心と同軸となる位置に設けられたピニオンであって、前記印面支持体とともに回動する前記ピニオンと、
前記ケースの内周壁に沿って回動可能となるように前記ケースの内壁に支持されたラックであって、前記ピニオンと噛み合う前記ラックとからなり、
前記ラックの前記ケースの内周壁に沿った回動に応じて前記ピニオンが回動することにより、前記印面支持体が回動して前記表裏に設けた印面を選択的に前記開口より表出させることが可能であることを特徴とするスタンプ。
【請求項５】
前記ケースの内壁に設けられ、前記ラックが一方へ回動したとき第１の係止位置にて係止し、前記ラックが他方へ回動したとき第２の係止位置にて係止する係止部材を有し、
前記ラックが係止部材により前記第１の係止位置に係止されたとき、前記印面支持体に設けられた表側の印面が前記ケースの下端と略平行となるように前記開口より表出し、前記ラックが係止部材により前記第２の係止位置に係止されたとき、前記印面支持体に設けられた裏側の印面が前記ケースの下端と略平行となるように前記開口より表出することを特徴とする請求項４記載のスタンプ。
【請求項６】
前記係止部材は前記ケースの内壁に前記ケースの内方に突出して設けられた突起であって、当該突起は前記ラックが回動したときに前記第１および第２の係止位置にて前記ラックと当接することにより前記ラックを係止することを特徴とする請求項５記載のスタンプ。
【請求項７】
前記ケースの内壁の円周方向に設けられたガイド溝と、前記ラックに設けられ当該ガイド溝に摺動可能に嵌合する突条とを有し、
前記ラックは、一方へ回動したとき前記突条が前記ガイド溝に沿って摺動し前記ガイド溝の一方の端部に当接することにより第１の係止位置にて係止され、他方へ回動したとき前記突条が前記ガイド溝に沿って摺動し前記ガイド溝の他方の端部に当接することにより前記第２の係止位置にて係止され、
前記ラックが前記第１の係止位置に係止されたとき、前記印面支持体に設けられた表側の印面が前記ケースの下端と略平行となるように前記開口より表出し、前記ラックが前記第２の係止位置に係止されたとき、前記印面支持体に設けられた裏側の印面が前記ケースの下端と略平行となるように前記開口より表出することを特徴とする請求項４記載のスタンプ。
【請求項８】
下端に開口を有した円筒状のケースと、
円盤状に形成され前記ケースの内壁に回動可能に軸支された印面支持体であって、印面および開口と略同じ形状の蓋面がそれぞれ表裏に設けられた前記印面支持体と、
前記印面支持体の回動中心と同軸となる位置に設けられたピニオンであって、前記印面支持体とともに回動する前記ピニオンと、
前記ケースの内周壁に沿って回動可能となるように前記ケースの内壁に支持されたラックであって、前記ピニオンと噛み合う前記ラックとからなり、
前記ラックの前記ケースの内周壁に沿った回動に応じて前記ピニオンが回動することにより、前記印面支持体が回動して前記印面と前記蓋面を選択的に前記開口より表出させることが可能であることを特徴とするスタンプ。
【請求項９】
前記ケースの内壁に設けられ、前記ラックが一方へ回動したとき第１の係止位置にて係止し、前記ラックが他方へ回動したとき第２の係止位置にて係止する係止部材を有し、
前記ラックが係止部材により前記第１の係止位置に係止されたとき、前記印面支持体に設けられた印面が前記ケースの下端と略平行となるように前記開口より表出し、前記ラックが前記係止部材により前記第２の係止位置に係止されたとき、前記印面支持体に設けられた蓋面が前記ケースの下端と略平行となるように前記開口より表出することを特徴とする請求項８記載のスタンプ。
【請求項１０】
前記係止部材は前記ケースの内壁に前記ケースの内方に突出して設けられた突起であって、当該突起は前記ラックが一方へ回動したときに前記第１および第２の係止位置にて前記ラックと当接することにより前記ラックを係止することを特徴とする請求項９記載のスタンプ。
【請求項１１】
前記ケースの内壁の円周方向に設けられたガイド溝と、前記ラックに設けられ当該ガイド溝に摺動可能に嵌合する突条とを有し、
前記ラックは、一方へ回動したとき前記突条が前記ガイド溝に沿って摺動し前記ガイド溝の一方の端部に当接することにより第１の係止位置にて係止され、他方へ回動したとき前記突条が前記ガイド溝に沿って摺動し前記ガイド溝の他方の端部に当接することにより前記第２の係止位置にて係止され、
前記ラックが前記第１の係止位置に係止されたとき、前記印面支持体に設けられた印面が前記ケースの下端と略平行となるように前記開口より表出し、前記ラックが前記第２の係止位置に係止されたとき、前記印面支持体に設けられた蓋面が前記ケースの下端と略平
行となるように前記開口より表出することを特徴とする請求項８記載のスタンプ。
【発明の詳細な説明】
【技術分野】
【０００１】
本願発明は、印面等を適宜切り換えることができるスタンプに関する。
【背景技術】
【０００２】
従来、３つの印面を有し、押圧を行う度に捺印される印面が切り換わり、当該３つの印面の合成によって所定の絵柄が形成されるように構成された回転式印判（特許文献１）が知られている。
【特許文献１】実用新案登録第２５０８８８０号公報
【発明の開示】
【発明が解決しようとする課題】
【０００３】
上記従来の回転式印判は、完成されるべき絵柄を複数の印面に分け、これらの印面を順次使用して絵柄を重ねることで目的の絵柄を得るものである。すなわち、当該回転式印判は押印を行うと、その都度自動的に印面が切り替わり他の印面の絵柄が押印されるようになっているものである。したがって、２以上の印面を有し、当該印面による押印を選択的に固定して行うことができるものではなかった。
【０００４】
本願発明は、上記問題点に鑑み発明されたものであって、全く異なる文字や絵柄を表した印面を選択的に切り換えて使用することができるスタンプを提供することを課題とする。また、当該印面を切り換えることができるスタンプの簡単な機構の提供および未使用時の保存を考慮した構造を提供するものである。
【課題を解決するための手段】
【０００５】
本願発明は上記課題に鑑み、請求項１記載の発明は以下の手段を有する。すなわち、
下端に開口を有した中空円筒状のケースと、
前記開口より表出可能な印面を表裏に設けた印面支持体と、
前記印面支持体と係合する係合部を有するとともに、前記ケースの内周壁に沿って回動可能に支持された回動部材とを有し、
前記印面支持体は、前記回動部材と係合する被係合部を有するとともに、前記表裏に設けた印面が回動によって前記開口より表出可能となるように軸支され、前記回動部材の回動に応じて回動するように構成されたことを特徴とするスタンプ。
【０００６】
また、請求項２記載の発明は以下の手段を有する。すなわち、
下端に開口を有した中空円筒状のケースと、
前記開口より表出可能な印面を表裏に有し、当該両印面が回動によってそれぞれ前記開口より表出可能となるように軸支された円板状の印面支持体と、
前記ケースの内周壁に沿って回動可能に支持された回動部材とを有し、
印面支持体には等当該印面支持体の回動中心と同軸となる位置にピニオンが設けられるとともに、前記回動部材の外周には当該ピニオンと噛合するラック状の歯が設けられており、
前記回動部材の回動に応じて前記印面支持体を回動させ、前記開口より表出させる印面を変化させるように構成したことを特徴とするスタンプ。
【０００７】
また、請求項３記載の発明は以下の手段を有する。すなわち、
下端に開口を有した中空円筒状のケースと、
前記開口より表出可能な印面および開口を塞ぐ蓋面を表裏に有し、当該両印面が回動によってそれぞれ前記開口より表出可能となるように軸支された円板状の印面支持体と、
前記ケースの内周壁に沿って回動可能に支持された回動部材とを有し、
印面支持体には当該印面支持体の回動中心と同軸となる位置にピニオンが設けられるとともに、前記回動部材の外周には当該ピニオンと噛合するラック状の歯が設けられており、
前記回動部材の回動に応じて前記印面支持体を回動させることにより、前記印面または蓋面を前記開口より選択的に表出させるようになっていることを特徴とするスタンプ。
【０００８】
また、請求項４記載の発明は以下の手段を有する。すなわち、
下端に開口を有した円筒状のケースと、
円盤状に形成され前記ケースの内壁に回動可能に軸支された印面支持体であって、印面が表裏に設けられた前記印面支持体と、
前記印面支持体の回動中心と同軸となる位置に設けられたピニオンであって、前記印面支持体とともに回動する前記ピニオンと、
前記ケースの内周壁に沿って回動可能となるように前記ケースの内壁に支持されたラックであって、前記ピニオンと噛み合う前記ラックとからなり、
前記ラックの前記ケースの内周壁に沿った回動に応じて前記ピニオンが回動することにより、前記印面支持体が回動して前記表裏に設けた印面を選択的に前記開口より表出させることが可能であることを特徴とするスタンプ。
【０００９】
また、請求項５記載の発明は以下の手段を有する。すなわち、
前記ケースの内壁に設けられ、前記ラックが一方へ回動したとき第１の係止位置にて係止し、前記ラックが他方へ回動したとき第２の係止位置にて係止する係止部材を有し、
前記ラックが係止部材により前記第１の係止位置に係止されたとき、前記印面支持体に設けられた表側の印面が前記ケースの下端と略平行となるように前記開口より表出し、前記ラックが係止部材により前記第２の係止位置に係止されたとき、前記印面支持体に設けられた裏側の印面が前記ケースの下端と略平行となるように前記開口より表出することを特徴とする請求項４記載のスタンプ。
【００１０】
また、請求項６記載の発明は以下の手段を有する。すなわち、
前記係止部材は前記ケースの内壁に前記ケースの内方に突出して設けられた突起であって、当該突起は前記ラックが回動したときに前記第１および第２の係止位置にて前記ラックと当接することにより前記ラックを係止することを特徴とする請求項５記載のスタンプ。
【００１１】
また、請求項７記載の発明は以下の手段を有する。すなわち、
前記ケースの内壁の円周方向に設けられたガイド溝と、前記ラックに設けられ当該ガイド溝に摺動可能に嵌合する突条とを有し、
前記ラックは、一方へ回動したとき前記突条が前記ガイド溝に沿って摺動し前記ガイド溝の一方の端部に当接することにより第１の係止位置にて係止され、他方へ回動したとき前記突条が前記ガイド溝に沿って摺動し前記ガイド溝の他方の端部に当接することにより前記第２の係止位置にて係止され、
前記ラックが前記第１の係止位置に係止されたとき、前記印面支持体に設けられた表側の印面が前記ケースの下端と略平行となるように前記開口より表出し、前記ラックが前記第２の係止位置に係止されたとき、前記印面支持体に設けられた裏側の印面が前記ケースの下端と略平行となるように前記開口より表出することを特徴とする請求項４記載のスタンプ。
【００１２】
また、請求項８記載の発明は以下の手段を有する。すなわち、
下端に開口を有した円筒状のケースと、
円盤状に形成され前記ケースの内壁に回動可能に軸支された印面支持体であって、印面
および開口と略同じ形状の蓋面がそれぞれ表裏に設けられた前記印面支持体と、
前記印面支持体の回動中心と同軸となる位置に設けられたピニオンであって、前記印面支持体とともに回動する前記ピニオンと、
前記ケースの内周壁に沿って回動可能となるように前記ケースの内壁に支持されたラックであって、前記ピニオンと噛み合う前記ラックとからなり、
前記ラックの前記ケースの内周壁に沿った回動に応じて前記ピニオンが回動することにより、前記印面支持体が回動して前記印面と前記蓋面を選択的に前記開口より表出させることが可能であることを特徴とするスタンプ。
【００１３】
また、請求項９記載の発明は以下の手段を有する。すなわち、
前記ケースの内壁に設けられ、前記ラックが一方へ回動したとき第１の係止位置にて係止し、前記ラックが他方へ回動したとき第２の係止位置にて係止する係止部材を有し、
前記ラックが係止部材により前記第１の係止位置に係止されたとき、前記印面支持体に設けられた印面が前記ケースの下端と略平行となるように前記開口より表出し、前記ラックが前記係止部材により前記第２の係止位置に係止されたとき、前記印面支持体に設けられた蓋面が前記ケースの下端と略平行となるように前記開口より表出することを特徴とする請求項８記載のスタンプ。
【００１４】
また、請求項１０記載の発明は以下の手段を有する。すなわち、
前記係止部材は前記ケースの内壁に前記ケースの内方に突出して設けられた突起であって、当該突起は前記ラックが一方へ回動したときに前記第１および第２の係止位置にて前記ラックと当接することにより前記ラックを係止することを特徴とする請求項９記載のスタンプ。
【００１５】
また、請求項１１記載の発明は以下の手段を有する。すなわち、
前記ケースの内壁の円周方向に設けられたガイド溝と、前記ラックに設けられ当該ガイド溝に摺動可能に嵌合する突条とを有し、
前記ラックは、一方へ回動したとき前記突条が前記ガイド溝に沿って摺動し前記ガイド溝の一方の端部に当接することにより第１の係止位置にて係止され、他方へ回動したとき前記突条が前記ガイド溝に沿って摺動し前記ガイド溝の他方の端部に当接することにより前記第２の係止位置にて係止され、
前記ラックが前記第１の係止位置に係止されたとき、前記印面支持体に設けられた印面が前記ケースの下端と略平行となるように前記開口より表出し、前記ラックが前記第２の係止位置に係止されたとき、前記印面支持体に設けられた蓋面が前記ケースの下端と略平行となるように前記開口より表出することを特徴とする請求項８記載のスタンプ。
【発明の効果】
【００１６】
本願発明に係るスタンプは、次のような効果を有する。
本願発明に係るスタンプは、複数の印面を有し、簡単な操作によって印面を切り換えて使用することができるという効果を有する。また、機構がきわめて簡単であるために、組み立てが容易であり、主に合成樹脂による成型品を使用するものであるから安価なスタンプを提供することができるという効果を有している。
また、本願発明に係るスタンプの印判を着脱可能に構成することにより、印面の異なる複数の印判を用途に応じて交換して使用することができる。
また、本願発明に係るスタンプは、ツマミや装着した装飾品を持って回動させるという簡単な操作だけで印面を切り換えることができる。
印面支持体の表裏いずれかの面に、印判を装着せず若しくは印判に換えて印面を構成しない他の部材を装着することにより、使用時には印面を表出させ未使用時には印面を収容するという使い分けができるようになっている。当該構造は、印面を覆う蓋が本体から分離する構造ではないために、蓋を無くすことがない。
さらに、ツマミに対して人形などの装飾体を取り付けることができ、装飾体を載置した基台のように見せることができるので、装飾品としてのコレクションにも利用できる。
【発明を実施するための最良の形態】
【００１７】
以下、本願発明のスタンプに関する第１および第２の実施の形態を説明する。
［第１の実施の形態］
第１の実施の形態を図１乃至図４を用いて説明する。
【００１８】
スタンプ１は、複数の印面を任意に切り換えて押印することができるスタンプであって、円筒形状のケース１０と、当該ケース１０の内部に収容される印面支持体（回転部材）３０と、印面支持体３０を回転可能に支持する支軸２０と、ケース１０の内周壁に回動可能に遊嵌される回動部材４０を有している。
【００１９】
ケース１０は、合成樹脂の一体成形により形成された部材であり、本実施の形態においては直径が略３０ｍｍ、高さが略１６ｍｍ、肉厚が略１ｍｍの円筒形状に形成されている。当該ケース１０の下端縁全体より、ケース１０内側に向かって略垂直に延出したフランジ状の凸縁１１が設けられ、当該凸縁の中心に円形の開口１２が形成されている。
また、ケース１０の筒状部を構成する周壁内面（内周壁）１３の下端には、３個の突起１５（１５ａ、１５ｂ、１５ｃ）が設けられている。突起１５ａと突起１５ｂはケース１０の直径上に各々配置され、突起１５ｃは突起１５ａおよび突起１５ｂから筒状部の中心軸に対して略９０度の間隔で設けられている。各突起１５は、内周壁１３および凸縁１１と一体的に設けられており、詳細には後述する回動部材４０の回動範囲等を規制する規制部材となっている。
また、内周壁１３にはケース１０の軸方向（上下方向）に沿って一本の突条１７が設けられており、円周方向に沿って４本の突条１６が等間隔に設けられている。これら突条１６および突条１７は、詳細には後述する回動部材４０の外周壁に設けた溝と係合し、回動部材４０の回動を支持するようになっている。さらに、ケース１０の周壁には、回動部材４０に挿通される支軸２０を圧入して保持する一対の小孔１４，１４が形成されており、当該小孔１４，１４を結んだ直線が、前記突起１５ａ，１５ｂ（第１の係止部材、第２の係止部材）を通過するケース１０の直径と略直交するように、小孔１４，１４は形成されている。
【００２０】
回転部材３０は、合成樹脂の一体成型により高さの低い円柱形状に形成された部材であり、上下（表裏）両端面にはそれぞれ浅い円形の凹部３１，３２が設けられている。また、回転部材３０の直径は、前記開口１２の直径より若干小さく形成されている。当該凹部３１は、詳細には後述する片面に印面を形成した円板状の印判２を取り付けるための第１の印判取付部となっており、凹部３２は、印判２と同様に片面に印面を形成した円板状の印判３を取り付けるための第２の印判取付部となっている。
回転部材３０の外周壁には、前記支軸２０を挿通させるための挿通孔１８が設けられている。当該挿通孔１８は、上下方向の略中心位置において、周壁の一方から直径方向に沿って回転部材３０の中心を通り他方へ貫通するように設けられている。
前記挿通孔１８を設けた回転部材３０の一方の外周壁には、当該挿通孔１８と同軸に歯車（ピニオン）３４が一体的に設けられている。当該歯車３４は、回転部材３０を回動させるための被係合部となっており、後述する回動部材４０に設けたラック４４の歯と係合して駆動され、回転部材３０を回転させるようになっている。歯車３４と、ケース１０の内面に沿って回動し歯車３４と噛み合うラック４４を用いることにより、小さなスペースで回動部材４０、ラック４４の回動を回転部材３０の回動に変換することができる。
【００２１】
また、回転部材３０の上下方向の略中心位置の外周壁には、前記挿通孔１８と直交する方向に外方に突出した小突起３３が設けられている。当該小突起３３は、回転部材３０の
回動時に前記ケース１０の内周壁１３の下端に設けた突起１５ａおよび１５ｂに当接し、回転部材３０が表裏１８０度回転した位置でそれぞれ回動を停止させる部材となっているものである。
回転部材３０に挿通される支軸２０は、直径が略１．５〜２ｍｍ、長さが略３０ｍｍの金属性の棒であり、ケース１０に穿設された小孔１４に挿通されて両端を支持された状態で固定されるようになっている。
【００２２】
回動部材４０は、上端が塞がれた円筒形状をなし、円筒部を構成する側壁４１の下端縁には下方に突出した２つの凸部４２，４３およびラック４４が形成されたものである。当該２つの凸部４２，４３は、前述した突起１５ｃ（係止部材）に当接して回動範囲を規制されている。すなわち、凸部４２が突起１５ｃに当接する位置（第１の係止位置）と、凸部４３が突起１５ｃに当接する位置（第２の係止位置）との間で回動範囲が規制されている。また、突起１５ｃを挟み略４５度の範囲にわたって側壁４１の一部を開口するような形状となっている。すなわち、凸部４２と４３がそれぞれ突起１５ｃの側面に当接する範囲内で回動部材４０を回動させることができるようになっており、本実施の形態においては略４０度〜４５度程度の範囲で回動可能となっている。
また、側壁４１の外周面４５には側壁４１を一周するように設けられた環状のガイド溝４６と、側壁４１の上下方向（軸方向）に沿って設けられた２条の位置決め溝４９が形成されている。２条の位置決め溝４９は、ケース１０の内周壁１３に設けられた突条１７と係合するように構成されたものであり、前記一方の凸部４２または他方の凸部４３がそれぞれ突起１５ｃと当接する位置において突条１７と係合し、回動位置を保持する作用を有している。
また、回動部材４０の上面４７には、六角柱形状の把持部４８が一体的に形成されている。
【００２３】
前記印判２と印判３は、それぞれ絵柄の異なる印面（２ａ，３ａ）を形成した円板状の部材であり、前記回転部材３０の表裏に形成した凹部３１または凹部３２に対して、印面（２ａ，３ａ）を表出させた状態で嵌合され固定されるようになっている。
凹部３１または凹部３２に印判２と印判３が装着された状態では、印面（２ａ，３ａ）は、印面（２ａ，３ａ）がケース１０の下端と略平行になったとき、ケース１０の下端に形成した開口１２より若干突出するようになっている。すなわち、回転部材３０は、回動の前後に表出する各印面（２ａ，３ａ）が開口１２より若干突出する位置となるように、前記ケース１０内に支持された支軸２０に対して回動可能に取り付けられている。
【００２４】
回動部材４０は、前述のように円筒形状の側壁４１を有しており、当該側壁４１がケース１０の内周壁と摺接しながら、回動可能に保持されるようになっている。ケース１０内に回動部材４０が適切に装着されると、回動部材４０の環状のガイド溝４６に前記ケース１０の内周壁１３に設けた突条１６が多少の隙間を持って嵌合し、ケース１０内において回動部材４０の回動を許容しつつ軸方向への移動を制限するようになっている。
このようにケース１０内における回動部材４０の軸方向への移動を制限することにより、前記回動部材４０に設けたラック４４の歯と回転部材の歯車３４との間隔を適切に保ちつつ噛合させることができるようになっている。なお、過度の押圧を受けて回動部材４０が下方に付勢された場合であっても、側壁４１と一体的に設けた凸部４２と４３の下端がケース１０下端の凸縁１１に当接して、回動部材４０が所定の位置より降下せず、ラック４４や歯車３４等を破損させないようになっている。
前述のように回動部材４０の側壁４１に形成した位置決め溝４９とケース１０の内周壁１３に設けた突条１７との係合によって、回動部材４０の回動位置を保持するようになっている。当該位置決め溝４９と突条１７が係合した状態のとき、突起１５ｃ（係止部材）と一方の凸部４２と他方の凸部４３のいずれかが当接しており、このとき、回転部材３０の印面（２ａ、３ａ）がケース１０の下端と略平行に開口１２から表出して押印可能にな
っている。前記位置決め溝４９と前記突条１７は互いに係合することにより、押印時に回転体３０が不用意に回転しないように規制している。
【００２５】
前記把持部４８には、人形等の装飾体５０を取り付けても良い。当該装飾体５０を取り付けることにより、本実施の形態に係るスタンプにコレクション性を持たせることが出来る。
現在、市場では略球形のカプセルに収容して販売される景品が多く流通している。本実施の形態に係るスタンプは、このような景品にも適したものであり、装飾体５０以外の部材を共通部材として装飾体５０のみを換えることにより、種類の異なるスタンプを提供することができるようになっている。
【００２６】
また、本実施の形態においては、前述した印判２および印判３は、印面支持体としての回転部材３０に装着されるようになっている。当該印判２および印判３の装着は、接着による固定の他、複数種類の印判を用意して嵌め合い摩擦を利用した交換式にしても良い。
さらに、前記２つの印判の内の一方を、印面を有しない合成樹脂製の単なる円板とすることにより、当該円板を装着した印面支持体３０をスタンプ１の蓋として使用することが出来るようになっている。すなわち、未使用時には蓋として作用する円板を表出させ、使用時には回動部材４０を回して印面を表出させてスタンプとして使用することが出来るようになっている。なお、別途印面を有しない円板の代わりに、前述した印判の印面側を回転部材３０に向けて装着し、印判の裏面を蓋体として用いても良い。この場合には、印判の表裏いずれの面を上にしても回転部材３０に対して装着できるように構成すればよい。
【００２７】
また、本実施の形態では印面支持体として表裏に印面を有する回転部材３０を用いたが、２以上の複数の面を有する回転部材を用いてもよい。また、ケース１０の形状も本実施の形態で説明したような円筒形に限る必要はなく、直方体形状若しくは多角形形状の筒状体としてもよい。
【００２８】
また、本実施の形態では回転部材３０と回動部材４０の係合方法として、歯車３４とラック４４を用いたが、ゴムなどの摩擦の高い部材を用いて係合させても良く、また、これらの方法に限られない。
【００２９】
［第２の実施の形態］
第２の実施の形態を図５を用いて説明する。
スタンプ１０１は、円筒形状のケース１１０と、当該ケース１１０の内部に収容される印面支持体（回転部材）１３０と、印面支持体１３０を回転可能に支持する支軸１２０と、ケース１１０の内周壁に回動可能に遊嵌される回動部材１４０を有している。
【００３０】
ケース１１０は、合成樹脂の一体成形により形成された部材であり、本実施の形態においては直径が略２７ｍｍ、高さが略１５ｍｍ、肉厚が略１ｍｍの円筒形状に形成されている。当該ケース１１０の下端縁全体より、ケース１１０内側に向かって略垂直に延出したフランジ状の凸縁１１１が設けられ、当該凸縁の中心に円形の開口１１２が形成されている。
また、ケース１１０の筒状部を構成する周壁内面（内周壁）１１３の下端には、突起１１５がケース１１０の直径上に設けられている。突起１１５は、内周壁１１３および凸縁１１と一体的に設けられており、詳細には後述する回動部材１４０の回動範囲等を規制する規制部材となっている。
また、内周壁１１３にはケース１１０の軸方向（上下方向）に沿って一本の突条１１７が設けられており、円周方向に沿って２つのガイド溝１１６，１１６が等間隔に設けられている。突条１１７は、詳細には後述する回動部材１４０の外周壁に設けた溝と係合し、ガイド溝１１６は、詳細には後述する回動部材１４０の外周壁に設けた突条と係合し、回
動部材１４０の回動を支持するようになっている。さらに、ケース１１０の周壁には、回動部材１４０に挿通される支軸１２０を圧入して保持する一対の小孔１１４，１１４が形成されており、当該小孔１１４，１１４を結んだ直線が前記突起１１５の上を通過するように、小孔１１４，１１４は形成されている。
【００３１】
回転部材１３０は、合成樹脂の一体成型により高さの低い円柱形状に形成された部材であり、上下（表裏）両端面にはそれぞれ浅い円形の凹部１３１，１３２が設けられている。また、回転部材１３０の直径は、前記開口１１２の直径より若干小さく形成されている。当該凹部１３１は、詳細には後述する片面に印面を形成した円板状の印判１０２を取り付けるための第１の印判取付部となっており、凹部１３２は、印判１０２と同様に片面に印面を形成した円板状の印判１０３を取り付けるための第２の印判取付部となっている。
回転部材１３０の外周壁には、前記支軸１２０を挿通させるための挿通孔１１８が設けられている。当該挿通孔１１８は、上下方向の略中心位置において、周壁の一方から直径方向に沿って回転部材１３０の中心を通り他方へ貫通するように設けられている。
前記挿通孔１１８を設けた回転部材１３０の一方の外周壁には、当該挿通孔１１８と同軸に歯車（ピニオン）１３４が一体的に設けられている。当該歯車１３４は、回転部材１３０を回動させるための被係合部となっており、後述する回動部材１４０に設けたラック１４４の歯と係合して駆動され、回転部材１３０を回転させるようになっている。歯車１３４と、ケース１１０の内面に沿って回動し歯車１３４と噛み合うラック１４４を用いることにより、小さなスペースで回動部材１４０、ラック１４４の回動を回転部材１３０の回動に変換することができる。
【００３２】
また、回転部材１３０の上下方向の略中心位置の外周壁には、前記挿通孔１１８と同軸に外方に突出した小突起１３３が設けられている。当該小突起１３３は、回転部材１３０の上下方向に対して垂直な係止面１３３ａ，１３３ｂと、当該係止面１３３ａ，１３３ｂどうしを繋ぐように形成された湾曲した摺接面１３３ｃを有する。
小突起１３３は突起１１５に対し、前記回転部材１３０の回動時には摺接面１３３ｃで摺接し、所定角度まで回動すると係止面１３３ａ、１３３ｂで当接する。係止面１３３ａ、１３３ｂが突起１１５に当接すると、回転部材はそれ以上回動することができない。このようにして、回転部材１３０が表裏１８０度回転した位置でそれぞれ回動を停止させるようになっている。
回転部材１３０に挿通される支軸１２０は、直径が略１．５〜２ｍｍ、長さが略２７ｍｍの金属性の棒であり、ケース１１０に穿設された小孔１１４に挿通されて両端を支持された状態で固定されるようになっている。
【００３３】
回動部材１４０は、上端が塞がれた円筒形状をなし、円筒部を構成する側壁１４１の下端縁には上方へ向かって凹設された凹部１４２およびラック４４が形成されたものである。当該凹部１４２は、前述した小突起１３３が回動部材１４０に当接して回動部材１４０の回動を妨げることのないように形成されたものである。
また、側壁１４１の外周面１４５には円周方向に沿って等間隔に設けられた２本の突条１４６と、側壁１４１の上下方向（軸方向）に沿って設けられた２条の位置決め溝１４９が形成されている。２条の位置決め溝１４９は、ケース１１０の内周壁１１３に設けられた突条１１７と係合するように構成されたものであり、前記一方の係止面１３３ａまたは他方の係止面１３３ｂがそれぞれ突起１１５と当接する位置において突条１１７と係合し、回動位置を保持する作用を有している。
また、回動部材１４０の上面１４７には、２つの係合孔１４８が穿設されている。
【００３４】
前記印判１０２と印判１０３は、それぞれ絵柄の異なる印面（１０２ａ，１０３ａ）を形成した円板状の部材であり、前記回転部材１３０の表裏に形成した凹部１３１または凹部１３２に対して、印面（１０２ａ，１０３ａ）を表出させた状態で嵌合され固定される
ようになっている。
凹部１３１または凹部１３２に印判１０２と印判１０３が装着された状態では、印面（１０２ａ，１０３ａ）は、印面（１０２ａ，１０３ａ）がケース１１０の下端と略平行になったとき、ケース１１０の下端に形成した開口１１２より若干突出するようになっている。すなわち、回転部材１３０は、回動の前後に表出する各印面（１０２ａ，１０３ａ）が開口１１２より若干突出する位置となるように、前記ケース１１０内に支持された支軸１２０に対して回動可能に取り付けられている。
【００３５】
回動部材１４０は、前述のように円筒形状の側壁１４１を有しており、当該側壁１４１がケース１１０の内周壁と摺接しながら、回動可能に保持されるようになっている。ケース１１０内に回動部材１４０が適切に装着されると、回動部材１４０の突条１４６，１４６が、前記ケース１１０の側壁１１９に設けたガイド溝１１６，１１６にそれぞれ多少の隙間を持って嵌合し、ケース１１０内において回動部材１４０の回動を突条１４６の長手方向の一方の端部とガイド溝１１６の長手方向の一方の端部が当接する位置（第１の係止位置）と突条１４６の長手方向の他方の端部とガイド溝１１６の長手方向の他方の端部が当接する位置（第２の係止位置）との間で許容しつつ、軸方向への移動を制限するようになっている。
このようにケース１１０内における回動部材１４０の軸方向への移動を制限することにより、前記回動部材１４０に設けたラック１４４の歯と回転部材の歯車１３４との間隔を適切に保ちつつ噛合させることができるようになっている。
前述のように、前記突条１４６の長手方向の端部とガイド溝１１６の長手方向の端部が当接し、回動部材１４０の側壁１４１に形成した位置決め溝１４９とケース１１０の内周壁１１３に設けた突条１１７との係合することによって、回動部材１４０の回動位置を保持するようになっている。前記突条１４６の長手方向の端部とガイド溝１１６の長手方向の端部が当接し、当該位置決め溝１４９と突条１１７が係合した状態のとき、小突起１３３の係止面１３３ａまたは係止面１３３ｂのいずれか一方が突起１１５に当接しており、このとき、回転部材１３０の印面（１０２ａ，１０３ａ）がケース１１０の下端と略平行に開口１１２から表出して押印可能になっている。前記位置決め溝１４９と前記突条１１７は互いに係合することにより、押印時に回転体１３０が不用意に回転しないように規制している。
【００３６】
装飾体用台座１６０は、上端が塞がれた円筒形状をなし、上面１６２には六角柱形状の突起１６３が形成されている。また、上面１６２の裏面には２つの係合突起１６１が設けられている。装飾体用台座１６０は、内周がケース１１０の外周より若干大きく形成されているため、ケース１１０の上部に被せることができる。このとき、回動部材１４０の上面１４７に穿設されている係合孔１４８，１４８に対して、前記装飾体用台座１６０の係合突起１６１，１６１がそれぞれ係合するようになっているため、回動部材１４０を装飾体用台座１６０と一体に回動させることができる。また、前記突起１６３には軸方向に貫通孔１６４が穿設されている。
【００３７】
蓋体１７０は、ケース体１１０の外周に嵌合できるような内周壁１７１を有し、ケース１１０の下部に被せることができるものである。このため、回動部材１３０の下方より突出した印面１０２または１０３を塵や埃から保護するとともに、使用者は手や衣服を汚さずにスタンプ１０１を持ち運ぶことができる。
【００３８】
前記突起１６３および貫通孔１６４には人形等の装飾体５０を取り付けても良い。当該装飾体５０を取り付けることにより、本実施の形態に係るスタンプ１０１にコレクション性を持たせることができる。さらに、スタンプ１０１は本願発明に係る第１の実施の形態に係るスタンプ１のような把持部４８を有していないため、装飾体用台座１６０の係合突起１６１を係合孔１４８に係合させない限り、回動部材１４０を回動することができない
。このため、スタンプごとに係合孔１４８および係合突起１６１の数および位置の組合せを変えることによって、一装飾体用台座１６０は一回動部材１４０を回動させるための独自の鍵としての役割を持たせることができ、種類の異なるスタンプを提供することができる。
【００３９】
また、本実施の形態では印面支持体として表裏に印面を有する回転部材１３０を用いたが、２以上の複数の面を有する回転部材を用いてもよい。また、ケース１１０の形状も本実施の形態で説明したような円筒形に限る必要はなく、直方体形状若しくは多角形形状の筒状体としてもよい。
【００４０】
また、本実施の形態では回転部材１３０と回動部材１４０の係合方法として、歯車１３４とラック１４４を用いたが、ゴムなどの摩擦の高い部材を用いて係合させても良く、また、これらの方法に限られない。
【図面の簡単な説明】
【００４１】
【図１】本願発明に係るスタンプの第１の実施の形態の斜視図である。
【図２】本願発明に係るスタンプの第１の実施の形態の分解斜視図である。
【図３】本願発明に係るスタンプの第１の実施の形態の使用状態を説明するための第１の説明図である。
【図４】本願発明に係るスタンプの第１の実施の形態の使用状態を説明するための第２の説明図である。
【図５】本願発明に係るスタンプの第２の実施の形態の分解斜視図である。
【符号の説明】
【００４２】
１  スタンプ
２  印判
２ａ  印面
３  印判
３ａ  印面
１０  ケース
１１  凸縁
１２  開口
１３  内周面
１４  小孔
１５（ａ、ｂ、ｃ）  突起（係止部材）
１６  突条
１７  突条
１８  挿通孔
２０  支軸
３０  印面支持体（回転部材）
３１  凹部（第１の印判取付部）
３２  凹部（第２の印判取付部）
３３  小突起
３４  歯車（ピニオン）
４０  回動部材
４１  側壁
４２  凸部
４３  凸部
４４  ラック
４５  外周面
４６  ガイド溝
４７  上面
４８  把持部
４９  位置決め溝
５０  装飾体
１０１  スタンプ
１０２  印判
１０２ａ  印面
１０３  印判
１０３ａ  印面
１１０  ケース
１１１  凸縁
１１２  開口
１１３  内周面
１１４  小孔
１１５  突起
１１６  ガイド溝
１１７  突条
１１８  挿通孔
１２０  支軸
１３０  印面支持体（回転部材）
１３１  凹部（第１の印判取付部）
１３２  凹部（第２の印判取付部）
１３３  小突起
１３３ａ  係止面
１３３ｂ  係止面
１３３ｃ  摺接面
１３４  歯車（ピニオン）
１４０  回動部材
１４１  側壁
１４２  凹部
１４４  ラック
１４５  外周面
１４６  ガイド溝
１４７  上面
１４８  把持部
１４９  位置決め溝
１５０  装飾体
１６０  装飾体用台座
１６１  係合突起
１６２  上面
１６３  突起
１６４  貫通孔
１７０  蓋体
１７１  内周壁
【図１】
2005319674.tif 000003
【図２】
2005319674.tif 000004
【図３】
2005319674.tif 000005
【図４】
2005319674.tif 000006
【図５】
2005319674.tif 000007